(57)【要約】      （修正有）【課題】少なくとも１つの間隔線及び少なくとも１つの第２間隔線を有し、該袋体に第１空間、第２空間、及び若干の第３空間を有させ、折り畳み時、該第３空間は、該内視鏡と十分接触でき、内視鏡の予熱を加速する内視鏡加熱装置を提供する。【解決手段】内視鏡加熱装置１は、内視鏡の予熱に用いることができ、それは、袋体１０と、蓄熱及び放熱できる部材３０と、固定部材と、起動器５０とを含み、該袋体上に少なくとも１つの第１間隔線１１を有し、該第１間隔線の一側に第１空間１２を形成し、該第１間隔線の他側に第２空間１３を形成し、該蓄熱及び放熱できる部材は、蓄熱及び放熱できる材料であり、該袋体内に収容され、該固定部材は、該袋体上に位置し、且つ該第１空間及び第２空間を結合させることができ、該起動器は、施力の反発により震動波を発生させ、該蓄熱及び放熱できる部材を励起し、温度を上昇し、熱量を該第１空間及び第２空間中に位置する内視鏡に放熱し、予熱を行なう。【選択図】図２
0003161089.tif 000002
【実用新案登録請求の範囲】
【請求項１】
内視鏡の予熱に用いることができる内視鏡加熱装置であって、
袋体と、蓄熱及び放熱できる部材と、固定部材と、起動器と、を含み、
該袋体上に少なくとも１つの第１間隔線を有し、該第１間隔線の一側に第１空間を形成し、該第１間隔線の他側に第２空間を形成し、
該蓄熱及び放熱できる部材は、蓄熱及び放熱できる材料であり、該袋体内に収容され、且つ該第１空間及び第２空間の間に相互に流通することができ、
該固定部材は、該袋体上に位置し、且つ該第１空間及び第２空間を結合させることができ、該第１空間及び第２空間が相互に堆積でき、
該起動器は、金属片体であり、該袋体中に置かれ、震動波を発生し、該蓄熱及び放熱できる部材を励起し、温度を上昇し、熱量を該第１空間及び第２空間中に位置する内視鏡に放熱し、予熱を行なう内視鏡加熱装置。
【請求項２】
前記蓄熱及び放熱できる材料は、飽和酢酸ナトリウム水溶液であり、且つ該袋体がプラスチック高分子材料である請求項１記載の内視鏡加熱装置。
【請求項３】
前記固定部材は、更に、第１固定部材と、第２固定部材と、を有し、
該第１固定部材は、該第１空間上に位置し、該第１固定部材は、雄フック部材であり、
該第２固定部材は、該第２空間上に位置し、且つ該第１固定部材と結合でき、該第２固定部材は、雌フック部材である請求項１記載の内視鏡加熱装置。
【請求項４】
前記袋体の両側辺は、更にそれぞれ耳部を延伸し、該第１固定部材及び該第２固定部材は、該耳部上にそれぞれ配置する請求項３記載の内視鏡加熱装置。
【請求項５】
前記袋体が更に第１間隔線を有し、該第１間隔線の一側に位置し且つ非連続であり、該第１間隔線及び第２間隔線間に第３空間を形成し、且つ該蓄熱及び放熱できる部材は、該第１空間、第２空間、第３空間の間に相互流通でき、該第１間隔線、第２間隔線及び耳部は、シール加工方式で完成可能な請求項３記載の内視鏡加熱装置。
【請求項６】
前記第１空間の底部に更に第３間隔線及び第４間隔線を有し、且つ該第３間隔線及び第４間隔線が相互に垂直になり、第４空間を形成し、該起動器を収容し、固定し、該第４間隔線及び第５間隔線は、シール加工方式で完成可能な請求項５記載の内視鏡加熱装置。
【請求項７】
前記少なくとも１つの第１間隔線は、該袋体の中段位置に縦向きに置かれ、且つ該起動器は、折り返され、震動波を発生し、該蓄熱及び放熱できる材料を励起し、温度を上昇させる請求項６記載の内視鏡加熱装置。
【請求項８】
内視鏡の予熱に用いることができる内視鏡加熱装置であって、
袋体と、蓄熱及び放熱できる部材と、固定部材と、第１起動器と、第２起動器と、を含み、
該袋体上に第１間隔線と、第２間隔線と、第３間隔線と、を有し、該第１間隔線の一側に第１空間を形成し、該第１間隔線及び該第２間隔線の間に第２空間を形成し、該第２間隔線の他側に第３空間を形成し、
該蓄熱及び放熱できる部材は、蓄熱及び放熱できる材料であり、該袋体内に収容され、
該固定部材は、該袋体上に位置し、且つ該第１空間及び第２空間を結合させることができ、該第１空間及び第３空間が相互に堆積でき、
該第１起動器は、金属片体であり、該第１空間又は第３空間中に位置し、震動波を発生し、該蓄熱及び放熱できる部材を励起し、温度を上昇し、熱量を該第１空間又は第３空間に位置する内視鏡に放熱し、予熱を行ない、
該第２起動器は、金属片体であり、該第２空間中に位置し、震動波を発生し、該蓄熱及び放熱できる部材を励起し、温度を上昇し、熱量を該第２に位置する内視鏡に放熱し、予熱を行なう内視鏡加熱装置。
【請求項９】
前記蓄熱及び放熱できる材料は、飽和酢酸ナトリウム水溶液であり、且つ該袋体がプラスチック高分子材料であり、且つ該第１空間及び第３空間の間は、相互に流通でき、且つ第２空間が隔離される請求項８記載の内視鏡加熱装置。
【請求項１０】
前記固定部材は、更に、第１固定部材と、第２固定部材と、を有し、
該第１固定部材は、該第１空間上に位置し、該第１固定部材は、雄フック部材であり、
該第２固定部材は、該第３空間上に位置し、且つ該第１固定部材と結合でき、該第２固定部材は、雌フック部材である請求項８記載の内視鏡加熱装置。
【請求項１１】
前記袋体の両側辺に更にそれぞれ耳部を延伸し、該第１固定部材及び該第２固定部材は、それぞれ該耳部上に配置される請求項１０記載の内視鏡加熱装置。
【請求項１２】
前記第１間隔線及び第２間隔線は、該袋体の中に縦向きに置かれ、該第３間隔線は、該第１間隔線及び第２間隔線間の端部に横に置かれ、且つ該第１間隔線及び第２間隔線と相互に接続し、且つ該第１起動器及び第２起動器は、折り返され、震動波を発生し、該蓄熱及び放熱できる部材を励起し、温度を上昇する請求項８記載の内視鏡加熱装置。
【請求項１３】
前記袋体は、更に第４間隔線を有し、該第１間隔線及び第２間隔線の他端部に横向きに置かれ、且つ該第１間隔線及び第２間隔線と相互に接続し、該第２起動器を収容し、固定する請求項８記載の内視鏡加熱装置。
【請求項１４】
前記第１間隔線、第２間隔線及び耳部は、シール加工方式で完成可能な請求項１１記載の内視鏡加熱装置。
【請求項１５】
前記第１空間の底部は、更に第５間隔線及び第６間隔線を有し、且つ該第５間隔線及び第６間隔線が相互に垂直になり、第４空間を形成し、該第１起動器を収容し、固定し、該第５間隔線及び第６間隔線は、シール加工方式で完成可能な請求項８記載の内視鏡加熱装置。
【考案の詳細な説明】
【技術分野】
【０００１】
本考案は、米国第ＵＳ５，０２５，２７８号専利を基礎とする後続出願案であり、内視鏡加熱装置に関し、特に、固定部材により袋体を嵌合し、２つの内視鏡をその中に固定し予加熱を行なう内視鏡加熱装置に関する。
【背景技術】
【０００２】
蓄熱及び放熱できる装置は、人の保温、暖め又は冷まし等の保健用途とすることができ、長年用いられ、その方法も多種あり、従来の水を加熱後にそれを徐々に温度降下させる期間、熱量を提供し、熱コート袋体内に金属片起動器を増設し、該起動器は、含有物溶液を励起し、熱量を発生し、その上昇温度がさめる過程で熱量を提供する。本願の出願人が有する米国第ＵＳ５，０２５，２７８号専利は、化学蓄/放熱袋を開示し、その内部に蓄熱及び放熱できる材料及び起動器を有し、該起動器は、含有物溶液を励起し、熱量を発生し、その上昇温度がさめる過程で熱量を提供する。
【０００３】
科学技術の進歩により現在内視鏡を使用し、人体内部の器官の検査を行なう医療行為は、非常に普遍なものである。但し、検査を行なう前、内視鏡は、予熱を行なう必要があり、初歩消毒を行なうことができる以外に、患者の不快度を低減することができる。
【０００４】
但し、現在の内視鏡の予熱方式は、従来の蒸気加熱装置が加熱を行なう以外に、現在は、上記蓄/放熱装置を改良し、内視鏡の予熱を供給するものもある。図１は、従来の内視鏡の予熱装置の結合説明図である。図に示すように、従来の内視鏡の予熱装置は、袋体１００を有し、その上に少なくとも１つの間隔線１１０を有し、該間隔線１００の一側に第１空間１２０を形成し、他側に第２空間１３０を形成する。蓄熱及び放熱できる部材１４０は、蓄熱及び放熱可能な材料であり、該袋体１００内に収容される。起動器１５０は、施力の反発により震動を発生し該蓄熱及び放熱できる部材を励起し、温度を上昇し、該第１空間１２０及び該第２空間１３０中に位置する内視鏡１６０に熱量を放熱し、予熱を行なう。
【０００５】
但し、上記従来の内視鏡の予熱装置は、以下の欠点を有する。
１． 該第１空間１２０及び第２空間１３０を折り畳み、該内視鏡１６０を収容し、加熱を行なう時、ベルト１７０又はタオル（図示せず）により該第１空間１２０及び第２空間１３０を巻き付け該袋体を固定し、使用に不便であるだけでなく、該ベルト１７０は、該袋体１００上に粘性物質を残留させ、汚染問題を発生するだけでなく、外観を損ねる。
２． 該袋体１００の第１空間１２０及び第２空間１３０間に縦向きの若干の間隔線１１０を有し、折り畳み時、該第１空間１２０及び第２空間１３０の側辺及び該内視鏡１６０の接触面が不足し、内視鏡１６０の加熱速度に影響を及ぼし、改善の余地を有する。
【０００６】
従って、新型の内視鏡加熱装置を設計し、上記欠陥を克服する必要がある。
【考案の概要】
【考案が解決しようとする課題】
【０００７】
本考案の目的は、少なくとも１つの間隔線及び少なくとも１つの第２間隔線を有し、該袋体に第１空間、第２空間、及び若干の第３空間を有させ、折り畳み時、該第３空間は、該内視鏡と十分接触でき、内視鏡の予熱を加速する内視鏡加熱装置を提供する。
【課題を解決するための手段】
【０００８】
上記目的を達成する為、本考案の内視鏡加熱装置は、内視鏡の予熱に用いることができ、それは、袋体と、蓄熱及び放熱できる部材と、固定部材と、起動器と、を含み、該袋体上に少なくとも１つの第１間隔線を有し、該第１間隔線の一側に第１空間を形成し、該第１間隔線の他側に第２空間を形成し、該蓄熱及び放熱できる部材は、蓄熱及び放熱できる材料であり、該袋体内に収容され、且つ該第１空間及び第２空間の間に相互に流通することができ、該固定部材は、該袋体上に位置し、且つ該第１空間及び第２空間を結合させることができ、該起動器は、金属片体であり、該袋体中に置かれ、施力の反発によりしれに震動波を発生させ、該蓄熱及び放熱できる部材を励起し、温度を上昇し、熱量を該第１空間及び第２空間中に位置する内視鏡に放熱し、予熱を行なう。
【考案の効果】
【０００９】
本考案の内視鏡加熱装置の実施により、それは、固定部材により袋体を２つの内視鏡をその中に固定し、予熱を行なう。また、少なくとも１つの第１間隔線及び少なくとも１つの第２間隔線を有し、該袋体に第１空間、第２空間、若干の第３空間を有させ、内視鏡の予熱を加速する等の利点を有するので、従来の内視鏡加熱装置の欠陥を改善することができる。
【図面の簡単な説明】
【００１０】
【図１】従来の内視鏡の予熱装置の結合説明図である。
【図２】本考案の好適実施例の内視鏡加熱装置の展開説明図である。
【図３】本考案の内視鏡加熱装置が折り合わさり、内視鏡を収容する説明図である。
【図４】本考案の他の好適実施例の内視鏡加熱装置の展開説明図である。
【図５】本考案の他の好適実施例の内視鏡加熱装置が折り合わさり内視鏡を収容する説明図である。
【考案を実施するための形態】
【００１１】
図２は、本考案の好適実施例の内視鏡加熱装置の展開説明図であり、図３は、本考案の内視鏡加熱装置が折り合わさり、内視鏡を収容する説明図である。
【００１２】
図に示すように、本考案の内視鏡加熱装置１は、内視鏡の予熱に用いることができ、それは、袋体１０と、蓄熱及び放熱できる部材３０と、固定部材４０と、起動器５０と、を含んで構成される。
【００１３】
該袋体１０の形状は、方形であることができ、それは、必要に応じて変化させることができ、本実施例中、方形を例として説明するが、これに限定するものではない。該袋体１０上に少なくとも１つの第１間隔線１１を有し、それは、非連続であり且つその数量は、これに限定するものではないが、４本であり、該第１間隔線１１の一側に第１空間１２を形成し、該第１間隔線１１の他側に第２空間１３を形成し、該蓄熱及び放熱できる部材３０を収容し、そのうち、該袋体１０は、これに限定するものではないが、例えば、プラスチック高分子材料から形成される。また、該袋体１０は、透明であることが好ましく、材料を選択及び厚さにおいて、耐久性があり、且つ拡張性を有する材質が好ましく、完成品時、該袋体１０は、高周波又はその他の同等効果をなす手段により外縁周辺に沿ってシールし、これは、従来技術であるので、ここでは詳細を記載しない。
【００１４】
該蓄熱及び放熱できる部材３０は、蓄熱及び放熱できる材料であり該袋体１０内に収容される。該蓄熱及び放熱できる部材３０は、熱を受け、熱量を蓄積し、その後、熱量を放熱する材料であり、従って、それは、例えば、単純な水であることができ、加熱した後、徐々に熱量を放熱し、温度を降下するか、冷蔵庫（図示せず）中に置き冷蔵することもでき、例えば、飽和酢酸ナトリウム水溶液乃至その他の蓄熱及び放熱できる材料であることができ、これは、従来技術であるので、ここでは、詳細を記載しない。
【００１５】
該固定部材４０は、該袋体１０上に位置し、且つ該第１空間１２及び第２空間１３を結合させることができる。図に示すように、本実施例において、該固定部材４０は、更に、第１固定部材４１及び第２固定部材４２を更に有する。そのうち、該第１固定部材４１は、第１空間１２上に位置し、それは、これに限定するものではないが、例えば、雄フック部材である。
【００１６】
該第２固定部材４２は、該第２空間１３上に位置し、且つ該第１固定部材４１と結合でき、それは、これに限定するものではないが雌フック部材である。
【００１７】
また、該袋体１０の両側辺に更にそれぞれ耳部１４，１５を延伸し、該第１固定部材４１及び該第２固定部材４２をそれぞれ収容し、且つ該耳部１４，１５は、高周波又はその他の同等効果をなす手段であり、外縁周辺に沿ってシールし、これは、従来技術であるので、ここでは、詳細を記載しない。
【００１８】
また、該袋体１０は、更に少なくとも１つの第２間隔線１６を有し、該第１間隔線１１の一側に位置し、非連続であり、且つその数量がこれに限定するものではないが、例えば、４本であり、且つ該第１間隔線１１及び第２間隔線１６間に若干の第３空間１７を形成し、且つ該蓄熱及び放熱できる部材２０は、該第１空間１２、第２空間１３及び第３空間１７の間に相互に流通することができる。そのうち、該第１間隔線１１及び第２間隔線１６は、シール（seal）加工方式で完成でき、これに限定するものではないが例えば、高周波であり、これは、従来技術であるので、ここでは詳細を記載しない。
【００１９】
また、該袋体１０の該第１空間１２の底部に更に第３間隔線１８及び第４間隔線１９を有し、且つ該第３間隔線１８及び第４間隔線１９は相互に垂直であり、第４空間２０を形成し、該起動器５０を収納し、固定する。そのうち、該第４間隔線１８及び第５間隔線１９は、シール加工方式で完成される。
【００２０】
該起動器５０は、該袋体１０の第４空間２０中に置かれ、該起動器５０は、これに限定するものではないが、例えば、金属片体であり、施力反発により震動波を発生し、蓄熱及び放熱できる部材３０を励起し、温度を上昇し、放熱した後、温度を下降させ、その詳細原理は、上記米国第ＵＳ５，０２５，２７８号専利を参照されたく、ここでは、詳細を記載しない。
【００２１】
図３に示すように、本考案の内視鏡加熱装置１は、使用時に、先ず２つの内視鏡６０，６１を該第３空間１７の上に置き、該袋体１０を折り畳み、該内視鏡７０，７１をそれぞれ該第３空間１７、第１空間１２及び第２空間１３に囲われるようにする。第１空間１２上の第１固定部材４１を第２空間１３上の該第２固定部材４２に固定し、該内視鏡６０，６１を該袋体１０中に固定し、該内視鏡６０，６１の周囲が該第３空間１７、第１空間１２及び第２空間１３と十分に接触できる。最後に、手で施力し、該起動器５０を折り返し、震動波を発生し、蓄熱及び放熱できる部材３０を励起し、温度を上昇し、該内視鏡６０，６１に放熱し、加熱し、予熱の目的を達成する。従って、本考案の内視鏡加熱装置１は、確実に従来技術の欠陥を改善することができる。
【００２２】
図４は、本考案の他の好適実施例の内視鏡加熱装置の展開説明図である。図５は、本考案の他の好適実施例の内視鏡加熱装置が折り合わさり内視鏡を収容する説明図である。
【００２３】
図に示すように、本考案の内視鏡加熱装置１’は、内視鏡の予熱に用いることができ、それは、袋体２１０と、蓄熱及び放熱できる部材２３０と、固定部材２４０と、第１起動器２５０と、第２起動器２６０と、を含んで構成される。
【００２４】
該袋体２１０の形状は、方形であることができ、必要に応じて変化させることができ、本実施例中、方形を例として説明するが、これに限定するものではない。該袋体２１０上に第１間隔線２１１と、第２間隔線２１２と、第３間隔線２１３と、を有し、該第１間隔線２１１の一側に第１空間２１４を形成し、該第１間隔線２１１及び該第２間隔線２１２の間に第２空間２１５を形成し、該第２間隔線２１２の他側に第３空間２１６を形成し、該蓄熱及び放熱できる部材２３０を収容し、且つ該第２空間２１５及び第１空間２１４及び第３空間２１６間に相互に隔離し、該蓄熱及び放熱できる部材２３０がその中に相互に流通することを防止する。そのうち、該袋体２１０は、これに制限するものではないが、例えば、高分子材料で形成される。そのうち、該第１間隔線２１１及び第２間隔線２１２は、該袋体２１０の中に立て向きに置かれ、該第３間隔線２１３は、該第１間隔線２１１及び第２間隔線２１２間の端部に横向きに置かれ、且つ該第１間隔線２１１及び第２間隔線２１２と接続する。また、該袋体２１０は、透明であることが好ましく、これに限定するものではないが、基本的に、それを複数利用することができるので、材料の選択及び厚さにおいて、耐久性があり、且つ拡張性のある材質が好ましく、完成品時、該袋体２１０は、高周波又はその他の同等効果をなす手段により外縁周辺に沿ってシールし、これは、従来技術であるので、ここでは詳細を記載しない。
【００２５】
該蓄熱及び放熱できる部材２３０は、蓄熱及び放熱できる材料であり、該袋体２１０内の該第１空間２１４、第３空間２１６及び該第２空間２１５中に収容する。該蓄熱及び放熱できる部材２３０は、熱を受けて、熱量を蓄積した後、放熱できる材料であるので、それは、例えば、単純な水であることができ、加熱した後、徐々に熱量を放熱し、温度を降下するか、冷蔵庫（図示せず）中に置き冷蔵することもでき、例えば、飽和酢酸ナトリウム水溶液乃至その他の蓄熱及び放熱できる材料であることができ、これは、従来技術であるので、ここでは、詳細を記載しない。
【００２６】
該固定部材２４０は、該袋体２１０上に位置し、且つ該第１空間２１４及び第３空間２１６を結合させることができる。図に示すように、本実施例において、該固定部材２４０は、更に、第１固定部材２４１及び第２固定部材２４２を更に有する。そのうち、該第１固定部材２４１は、第１空間２１４上に位置し、それは、これに限定するものではないが、例えば、雄フック部材である。該第２固定部材２４２は、該第３空間２１６上に位置し、且つ該第１固定部材２４１と結合でき、それは、これに限定するものではないが雌フック部材である。
【００２７】
また、該袋体２１０の両側辺に更にそれぞれ耳部２１７，２１８を延伸し、該第１固定部材２４１及び該第２固定部材２４２をそれぞれ収容し、且つ該耳部２１７，２１８は、高周波又はその他の同等効果をなす手段であり、外縁周辺に沿ってシールし、これは、従来技術であるので、ここでは、詳細を記載しない。
【００２８】
また、該袋体２１０は、更に少なくとも１つの第４間隔線２１９を有し、該第１間隔線２１１及び第２間隔線２１２間の他端部に横向きに置かれ、且つ該第１間隔線２１１及び第２間隔線２１２と接続せず、該第２起動器２６０を収容し、固定する。そのうち、該第４間隔線２１９は、シール加工方式で完成されることができ、これは、従来技術であり、ここでは詳細を記載しない。
【００２９】
また、該袋体２１０の該第３空間２１６の底部に更に第５間隔線２２０及び第６間隔線２２１を有し、且つ該第５間隔線２２０及び第６間隔線２２１は相互に垂直であり、第４空間２２２を形成し、該第１起動器２５０を収納し、固定し、そのうち、該第５間隔線２２０及び第６間隔線２２１は、シール加工方式で完成される。
【００３０】
該第１起動器２５０は、該袋体２１０の第４空間２２２中に置かれ、該第１起動器２５０は、これに限定するものではないが、例えば、金属片体であり、施力反発により震動波を発生し、蓄熱及び放熱できる部材２３０を励起し、温度を上昇し、放熱した後、温度を下降させ、その詳細原理は、上記米国第ＵＳ５，０２５，２７８号専利を参照されたく、ここでは、詳細を記載しない。
【００３１】
該第２起動器２６０は、該第４間隔線２１９の一側に位置し、該第２起動器２６０は、これに限定するものではないが、例えば、金属片体であり、施力反発により震動波を発生し、蓄熱及び放熱できる部材２３０を励起し、温度を上昇し、放熱した後、温度を下降させ、その詳細原理は、上記米国第ＵＳ５，０２５，２７８号専利を参照されたく、ここでは、詳細を記載しない。
【００３２】
図５に示すように、本考案の内視鏡加熱装置１’は、使用時に、先ず内視鏡６０’を該第２空間２１５の上に置く。その後、該袋体２１０を内に折り、該内視鏡６０’上に被せる。他の内視鏡６１’を該袋体２１０の他端を内に折り、該第３空間２１６を該内視鏡６０’上に被せる。第１空間２１４上の第１固定部材２４１を第２空間２１６上の該第２固定部材２４２に固定し、該内視鏡６０’，６１’を該袋体２１０中に固定し、且つ該内視鏡６０’，６１’の周囲が該第３空間２１６、第１空間２１４及び第２空間２１５と十分に接触できる。続いて、手で施力し、該第１起動器２５０を折り返し、震動波を発生し、蓄熱及び放熱できる部材２３０を励起し、温度を上昇し、該内視鏡６１’に放熱し、加熱し、予熱の目的を達成する。手術時間を延長する時、手で施力し、該第２起動器２６０を折り返し、震動波を発生し、蓄熱及び放熱できる部材２３０を励起し、温度を上昇し、該内視鏡６０’に放熱し、加熱し、再加熱、高温滅菌を達成し、他の内視鏡加熱装置を使用する必要がなく、予熱の目的を達成することができる。従って、本考案の内視鏡加熱装置１’は、確実に従来技術の欠陥を改善することができる。
【００３３】
上記のように、本考案の内視鏡加熱装置の実施により、それは、固定部材により袋体を２つの内視鏡をその中に固定し、予熱を行なう。また、少なくとも１つの第１間隔線及び少なくとも１つの第２間隔線を有し、該袋体に第１空間、第２空間、若干の第３空間を有させ、内視鏡の予熱を加速する等の利点を有するので、従来の内視鏡加熱装置の欠陥を改善することができる。
【００３４】
本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３５】
１      内視鏡加熱装置
１０    袋体
１１    第１間隔線
１２    第１空間
１３    第２空間
１４，１５  耳部
１６    第２間隔線
１７    第３空間
１８    第３間隔線
１９    第４間隔線
２０    第４空間
３０    蓄熱及び放熱できる部材
４０    固定部材
４１    第１固定部材
４２    第２固定部材
５０    起動器
６０，６１  内視鏡
１００  袋体
１１０  間隔線
１２０  第１空間
１３０  第２空間
１４０  蓄熱及び放熱できる部材
１５０  起動器
１６０  内視鏡
１７０  ベルト
【図１】
0003161089.tif 000003
【図２】
0003161089.tif 000004
【図３】
0003161089.tif 000005
【図４】
0003161089.tif 000006
【図５】
0003161089.tif 000007
【手続補正書】
【提出日】平成22年5月18日(2010.5.18)
【手続補正１】
【補正対象書類名】実用新案登録請求の範囲
【補正対象項目名】全文
【補正方法】変更
【補正の内容】
【実用新案登録請求の範囲】
【請求項１】
内視鏡の予熱に用いることができる内視鏡加熱装置であって、
袋体と、蓄熱及び放熱できる部材と、固定部材と、起動器と、を含み、
該袋体上に少なくとも１つの第１間隔線を有し、該第１間隔線の一側に第１空間を形成し、該第１間隔線の他側に第２空間を形成し、
該蓄熱及び放熱できる部材は、蓄熱及び放熱できる材料であり、該袋体内に収容され、且つ該第１空間及び第２空間の間に相互に流通することができ、
該固定部材は、該袋体上に位置し、且つ該第１空間及び第２空間を結合させることができ、該第１空間及び第２空間が相互に堆積でき、
該起動器は、金属片体であり、該袋体中に置かれ、震動波を発生し、該蓄熱及び放熱できる部材を励起し、温度を上昇し、熱量を該第１空間及び第２空間中に位置する内視鏡に放熱し、予熱を行なう内視鏡加熱装置。
【請求項２】
前記蓄熱及び放熱できる材料は、飽和酢酸ナトリウム水溶液であり、且つ該袋体がプラスチック高分子材料である請求項１記載の内視鏡加熱装置。
【請求項３】
前記固定部材は、更に、第１固定部材と、第２固定部材と、を有し、
該第１固定部材は、該第１空間上に位置し、該第１固定部材は、雄フック部材であり、
該第２固定部材は、該第２空間上に位置し、且つ該第１固定部材と結合でき、該第２固定部材は、雌フック部材である請求項１記載の内視鏡加熱装置。
【請求項４】
前記袋体の両側辺は、更にそれぞれ耳部を延伸し、該第１固定部材及び該第２固定部材は、該耳部上にそれぞれ配置する請求項３記載の内視鏡加熱装置。
【請求項５】
前記袋体が更に第１間隔線を有し、該第１間隔線の一側に位置し且つ非連続であり、該第１間隔線及び第２間隔線間に第３空間を形成し、且つ該蓄熱及び放熱できる部材は、該第１空間、第２空間、第３空間の間に相互流通でき、該第１間隔線、第２間隔線及び耳部は、シール加工方式で完成可能な請求項３記載の内視鏡加熱装置。
【請求項６】
前記第１空間の底部に更に第３間隔線及び第４間隔線を有し、且つ該第３間隔線及び第４間隔線が相互に垂直になり、第４空間を形成し、該起動器を収容し、固定し、該第４間隔線及び第５間隔線は、シール加工方式で完成可能な請求項５記載の内視鏡加熱装置。
【請求項７】
前記少なくとも１つの第１間隔線は、該袋体の中段位置に縦向きに置かれ、且つ該起動器は、折り返され、震動波を発生し、該蓄熱及び放熱できる材料を励起し、温度を上昇させる請求項６記載の内視鏡加熱装置。
【請求項８】
内視鏡の予熱に用いることができる内視鏡加熱装置であって、
袋体と、蓄熱及び放熱できる部材と、固定部材と、第１起動器と、第２起動器と、を含み、
該袋体上に第１間隔線と、第２間隔線と、第３間隔線と、を有し、該第１間隔線の一側に第１空間を形成し、該第１間隔線及び該第２間隔線の間に第２空間を形成し、該第２間隔線の他側に第３空間を形成し、
該蓄熱及び放熱できる部材は、蓄熱及び放熱できる材料であり、該袋体内に収容され、
該固定部材は、該袋体上に位置し、且つ該第１空間及び第２空間を結合させることができ、該第１空間及び第３空間が相互に堆積でき、
該第１起動器は、金属片体であり、該第１空間又は第３空間中に位置し、震動波を発生し、該蓄熱及び放熱できる部材を励起し、温度を上昇し、熱量を該第１空間又は第３空間に位置する内視鏡に放熱し、予熱を行ない、
該第２起動器は、金属片体であり、該第２空間中に位置し、震動波を発生し、該蓄熱及び放熱できる部材を励起し、温度を上昇し、熱量を該第２空間に位置する内視鏡に放熱し、予熱を行なう内視鏡加熱装置。
【請求項９】
前記蓄熱及び放熱できる材料は、飽和酢酸ナトリウム水溶液であり、且つ該袋体がプラスチック高分子材料であり、且つ該第１空間及び第３空間の間は、相互に流通でき、且つ第２空間が隔離される請求項８記載の内視鏡加熱装置。
【請求項１０】
前記固定部材は、更に、第１固定部材と、第２固定部材と、を有し、
該第１固定部材は、該第１空間上に位置し、該第１固定部材は、雄フック部材であり、
該第２固定部材は、該第３空間上に位置し、且つ該第１固定部材と結合でき、該第２固定部材は、雌フック部材である請求項８記載の内視鏡加熱装置。
【請求項１１】
前記袋体の両側辺に更にそれぞれ耳部を延伸し、該第１固定部材及び該第２固定部材は、それぞれ該耳部上に配置される請求項１０記載の内視鏡加熱装置。
【請求項１２】
前記第１間隔線及び第２間隔線は、該袋体の中に縦向きに置かれ、該第３間隔線は、該第１間隔線及び第２間隔線間の端部に横に置かれ、且つ該第１間隔線及び第２間隔線と相互に接続し、且つ該第１起動器及び第２起動器は、折り返され、震動波を発生し、該蓄熱及び放熱できる部材を励起し、温度を上昇する請求項８記載の内視鏡加熱装置。
【請求項１３】
前記袋体は、更に第４間隔線を有し、該第１間隔線及び第２間隔線の他端部に横向きに置かれ、且つ該第１間隔線及び第２間隔線と相互に接続し、該第２起動器を収容し、固定する請求項８記載の内視鏡加熱装置。
【請求項１４】
前記第１間隔線、第２間隔線及び耳部は、シール加工方式で完成可能な請求項１１記載の内視鏡加熱装置。
【請求項１５】
前記第１空間の底部は、更に第５間隔線及び第６間隔線を有し、且つ該第５間隔線及び第６間隔線が相互に垂直になり、第４空間を形成し、該第１起動器を収容し、固定し、該第５間隔線及び第６間隔線は、シール加工方式で完成可能な請求項８記載の内視鏡加熱装置。